(57)【要約】【課題】  土壌の消毒時に栽培用土壌を包むのに使用したシートを利用して、土壌消毒後の植物の育成時における風防を形成し、土壌の消毒とそれに続く植物の育成とを効果的に行えるようにした植物育成方法および装置を提供する。【解決手段】  栽培床１上に敷設され、かつその上に栽培用土壌２が盛土されたシート３を、外周面に蒸気噴出孔４が穿設された蒸気配管５を中心として丸めることにより、蒸気配管５を栽培用土壌２で取り巻き、蒸気配管５に蒸気を導入して、蒸気噴出孔４より噴出する蒸気により、栽培用土壌２を消毒した後、シート３の両側部３ａ、３ｂを展開して、栽培床１上に立設した支柱８により、起立状態で保持することによって、栽培用土壌２の上方を植物栽培用空間７とする風防２４を形成する。【選択図】  図５
2013118862.tif 000002
【特許請求の範囲】
【請求項１】
栽培床上に敷設され、かつその上に栽培用土壌が盛土されたシートを、外周面に蒸気噴出孔が穿設された蒸気配管を中心として丸めることにより、蒸気配管を栽培用土壌で取り巻き、前記蒸気配管に蒸気を導入して、前記蒸気噴出孔より噴出する蒸気により、栽培用土壌を消毒した後、前記シートの両側部を展開して、前記栽培床上に立設した支柱により、起立状態で保持することによって、前記栽培用土壌の上方を植物栽培用空間とする風防を形成することを特徴とする植物育成方法。
【請求項２】
シートの両側部を展開するのに先立って、支柱を栽培床上に立設し、前記シートの両側部を展開した後、前記シートの一部を、前記支柱に、止着手段をもって止着することを特徴とする請求項１記載の植物育成方法。
【請求項３】
シートの両側部を展開した後、前記シート上の栽培用土壌の両側方において、支柱を、前記シートを貫通させて、栽培床上に立設し、立設した支柱の外側から、前記シートの一部を、前記支柱に、止着手段をもって止着することを特徴とする請求項１記載の植物育成方法。
【請求項４】
支柱を、栽培用土壌を跨ぐ門型とし、シートの両側端部を、門型とした支柱の頂部に、止着手段をもって止着することにより、シートの両側端部をもって、植物栽培用空間の上方を覆うことを特徴とする請求項１〜３のいずれかに記載の植物育成方法。
【請求項５】
シートの両側端部を、門型とした支柱の頂部に設けた止着手段から外して、両側方に折り返すことにより、植物栽培用空間の上方を開放することを特徴とする請求項４記載の植物育成方法。
【請求項６】
栽培用土壌が盛土されたシートを、蒸気配管を中心として丸めるのに先立って、前記栽培用土壌内に給液チューブを埋設しておき、前記シートの展開後の植物栽培期間において、前記給液チューブより、栽培用土壌に、液体肥料または水を供給することを特徴とする請求項１〜５のいずれかに記載の植物育成方法。
【請求項７】
シートの下方における栽培床上に凹溝を設け、そこに細石を充填し、その上にシートを敷設しておくことを特徴とする請求項１〜６のいずれかに記載の植物育成方法。
【請求項８】
栽培床上に敷設され、かつ上面に栽培用土壌が盛土されるシートと、
外周面に蒸気噴出孔が穿設され、かつ前記盛土上に載置される蒸気配管と、
前記蒸気配管に蒸気を供給する蒸気発生装置と、
前記栽培用土壌に近接して前記栽培床上に立設され、かつ前記栽培用土壌の上方に植物栽培用空間を形成するようにして、展開された前記シートの両側部を起立状態で保持する支柱と、
前記シートの一部を、前記支柱に着脱可能として止着する止着手段
とを備えることを特徴とする植物育成装置。
【請求項９】
シートの両側端部同士を、植物栽培用空間の上方において、着脱可能として結合する結合手段を設けたことを特徴とする請求項８記載の植物育成装置。
【請求項１０】
支柱を、栽培用土壌を跨ぐ門型としたことを特徴とする請求項８または９記載の植物育成装置。
【発明の詳細な説明】
【技術分野】
【０００１】
本発明は、園芸用土壌の消毒とそれに続く植物の育成とを効果的に行えるようにした植物育成方法及び装置に関する。
【背景技術】
【０００２】
本出願人は、構成を簡略化することができるとともに、消毒作業効率を向上させることができ、さらに土壌を均一に消毒することができる土壌消毒方法および装置の発明について、すでに特許を取得している(特許文献１参照)。
この土壌消毒方法は、栽培床上に敷設され、かつその上に栽培用土壌が盛土されたフィルムを、外周面に蒸気噴出孔が穿設された蒸気配管を中心として丸めることにより、蒸気配管を栽培用土壌で取り巻き、前記蒸気配管に蒸気を導入して、前記蒸気噴出孔より噴出する蒸気により、栽培用土壌を消毒した後、前記フィルムを広げて前記栽培用土壌の上方を植物栽培用空間とした状態で、支柱によって保持することを特徴としている。
また、この土壌消毒装置は、栽培床上に敷設され、かつ上面に栽培用土壌が盛土されるフィルムと、外周面に蒸気噴出孔が穿設され、かつ前記盛土上に載置される蒸気配管と、前記蒸気配管に蒸気を供給する蒸気発生装置と、前記栽培用土壌に近接して前記栽培床上に立設され、前記フィルムを広げた状態で、前記栽培用土壌の上の植物栽培用空間を覆うようにして保持する支柱とを備えることを特徴としている。
【先行技術文献】
【特許文献】
【０００３】
【特許文献１】特許第３６８９８６７号公報
【発明の概要】
【発明が解決しようとする課題】
【０００４】
本発明は、上記土壌消毒方法および装置において、土壌の消毒時に栽培用土壌を包むのに使用したフィルム、すなわちシートを利用して、土壌消毒後の植物の育成時における風防を形成することにより、土壌の消毒と、それに続く植物の育成とを効果的に行えるようにした植物育成方法及び装置を提供することを目的としている。
【課題を解決するための手段】
【０００５】
本発明によると、上記課題は次のようにして解決される。
(１)  植物育成方法において、栽培床上に敷設され、かつその上に栽培用土壌が盛土されたシートを、外周面に蒸気噴出孔が穿設された蒸気配管を中心として丸めることにより、蒸気配管を栽培用土壌で取り巻き、前記蒸気配管に蒸気を導入して、前記蒸気噴出孔より噴出する蒸気により、栽培用土壌を消毒した後、前記シートの両側部を展開して、前記栽培床上に立設した支柱により、起立状態で保持することによって、前記栽培用土壌の上方を植物栽培用空間とする風防を形成する。
【０００６】
このような方法によると、栽培用土壌の消毒時に、栽培用土壌を包むのに使用したシートの両側部を、土壌消毒後の植物の育成時における風防として有効に利用することができるとともに、風防を簡単に形成することができ、しかも、消毒済みの土壌を、他所に移動させることなく、その場で、即座に栽培用土壌に播種または苗木の植栽等を行うことができ、土壌の消毒に引き続いて、植物の育成を効果的に行うことができる。
また、栽培用土壌がシートに包まれているため、栽培用土壌に供給した肥料や水分の流出を防止することができるとともに、栽培用土壌への外部からの細菌や害虫の侵入を防止することができる。
さらに、１回の植物の育成の終了後に、再度、シートを丸めて、栽培用土壌の消毒を行うことができる。
しかも、蒸気配管を利用して、給水や肥料の供給を行うこともできる。
【０００７】
(２)  上記(１)項において、シートの両側部を展開するのに先立って、支柱を栽培床上に立設し、前記シートの両側部を展開した後、前記シートの一部を、前記支柱に、止着手段をもって止着する。
【０００８】
このような方法によると、支柱の内側においてシートの両側部を展開し、そのままシートを支柱の内側に止着することができ、作業効率が向上する。
【０００９】
(３)  上記(１)項において、シートの両側部を展開した後、前記シート上の栽培用土壌の両側方において、支柱を、前記シートを貫通させて、栽培床上に立設し、立設した支柱の外側から、前記シートの一部を、前記支柱に、止着手段をもって止着する。
【００１０】
このような方法によると、支柱の外側にシートを止着するため、シートを支柱の形状に沿って簡単に広げることができる。
【００１１】
(４)  上記(１)〜(３)項のいずれかにおいて、支柱を、栽培用土壌を跨ぐ門型とし、シートの両側端部を、門型とした支柱の頂部に、止着手段をもって止着することにより、シートの両側端部をもって、植物栽培用空間の上方を覆うようにする。
【００１２】
このような方法によると、シートの両側端部をもって、植物栽培用空間の上方を覆うことができ、雨水や雪等から植物を防護することができる。
【００１３】
(５)  上記(４)項において、シートの両側端部を、門型とした支柱の頂部に設けた止着手段から外して、両側方に折り返すことにより、植物栽培用空間の上方を開放する。
【００１４】
このような方法によると、晴天時に、風防の上部に開口を形成し、風通しをよくすることができるとともに、植物の育成状況の観察や、雑草の除去などの作業を行うことができる。
【００１５】
(６)  上記(１)〜(５)項のいずれかにおいて、栽培用土壌が盛土されたシートを、蒸気配管を中心として丸めるのに先立って、前記栽培用土壌内に給液チューブを埋設しておき、前記シートの展開後の植物栽培期間において、前記給液チューブより栽培用土壌に、液体肥料または水を供給する。
【００１６】
このような方法によると、栽培用空間を覆う風防を開口することなく、栽培用空間内の植物に、液体肥料または水を簡単に供給することができる。
【００１７】
(７)  上記(１)〜(６)項のいずれかにおいて、シートの下方における栽培床上に凹溝を設け、そこに細石を充填し、その上にシートを敷設しておく。
【００１８】
(８)  植物育成装置において、栽培床上に敷設され、かつ上面に栽培用土壌が盛土されるシートと、外周面に蒸気噴出孔が穿設され、かつ前記盛土上に載置される蒸気配管と、前記蒸気配管に蒸気を供給する蒸気発生装置と、前記栽培用土壌に近接して前記栽培床上に立設され、かつ前記栽培用土壌の上方に植物栽培用空間を形成するようにして、展開された前記シートの両側部を起立状態で保持する支柱と、前記シートの一部を、前記支柱に着脱可能として止着する止着手段とを備えるものとする。
【００１９】
このような構成とすると、簡単な構造の部材のみで、上記(１)〜(７)の植物育成方法を効果的に実施することができ、設備のコストを低減することができる。
特に、栽培用土壌の消毒時に、栽培用土壌を包むのに使用したシートの両側部を、土壌消毒後の植物の育成時における風防として有効に利用することができる。
【００２０】
(９)  上記(８)項において、シートの両側端部同士を、植物栽培用空間の上方において、着脱可能として結合する結合手段を設ける。
【００２１】
このような構成とすると、シートの両側端部をもって、植物栽培用空間の上方を覆うことができ、雨水や雪等から植物を防護することができる。
【００２２】
(10)  上記(８)または(９)項において、支柱を、栽培用土壌を跨ぐ門型のものとする。
【００２３】
このような構成とすると、栽培用空間を覆うための風防を、容易かつ確実に形成することができる
【発明の効果】
【００２４】
本発明によると、土壌の消毒時に栽培用土壌を包むのに使用したシートを利用して、土壌消毒後の植物の育成時における風防を形成することにより、土壌の消毒とそれに続く植物の育成とを効果的に行えるようにした植物育成方法及び装置が提供される。
【図面の簡単な説明】
【００２５】
【図１】本発明の植物育成装置を用いて、栽培用土壌を消毒する前の状態を示す平面図である。
【図２】図１におけるII−II線拡大縦断正面図である。
【図３】図２の状態から、栽培用土壌およびシートを蒸気配管に巻き付けた状態を示す縦断正面図である。
【図４】図３の状態から、栽培用土壌に近接させて、かつ栽培用土壌を跨ぐようにして門型の支柱を立設した状態を示す縦断正面図である。
【図５】図４の状態から、シートの両側部を両側方に展開して、支柱の内側に止着し、植物栽培用空間を覆う風防を形成した状態を示す縦断正面図である。
【図６】図３の状態から、図４に示すのとは異なる要領で、門型の支柱を栽培床に立設した状態を示す縦断正面図である。
【図７】図６の状態から、シートを支柱の外側に止着し、風防を形成した状態を示す縦断正面図である。
【発明を実施するための形態】
【００２６】
以下、本発明の実施の形態を、添付図面を参照して説明する。
図１および図２に示すように、この植物育成装置は、栽培床１上に敷設され、かつ上面に栽培用土壌２が盛土されるシート３と、外周面に蒸気噴出孔４が穿設され、かつ盛土上に載置される蒸気配管５と、蒸気配管５に蒸気を供給する蒸気発生装置６とを備えている。
また、この植物育成装置は、図５に示すように、栽培用土壌２に近接して栽培床１上に立設されるとともに、栽培用土壌２の上方に植物栽培用空間７を形成するようにして、展開されたシート３の両側部３ａ、３ｂを起立状態で保持する門型の支柱８と、シート３の一部を、支柱８に着脱可能として止着する手段である、洗濯ばさみ状のクリップ９とを備えている。
【００２７】
栽培床１は、水はけのよい土とするのが好ましいが、これに限らず、コンクリートや板敷きのものであってもよい。以下においては、栽培床１が土の場合について説明する。
栽培床１には、図２に示すように、左右方向の幅を、栽培用土壌２の敷設幅の約１／２とし、かつ前後方向の長さを、栽培用土壌２の敷設長さとほぼ同一とした、適宜の深さの凹溝１０を設け、その中に多数の細石１１を充填して、その上面を、栽培床１の表面とほぼ同一のレベルとする。
【００２８】
シート３は、通気性と通水性を有するが、適度の保水性も有する耐熱性のものとするのが好ましく、例えば、寒冷紗、合成樹脂製シート、フィルム、織布、不織布等からなるものとすることができる。合成樹脂製シートとする場合には、適所に通水用の小孔(図示略)を設けておくのが好ましい。
【００２９】
蒸気配管５の先端は、キャップ１２により閉塞され、同じく基端は、可撓性の耐熱性ホース１３を介して、蒸気発生装置６における蒸気出口１４に接続されている。
【００３０】
蒸気噴出孔４は、蒸気配管５の外周面に均一に配置するのがよく、少なくとも円周方向に４個以上、好ましくは８個以上を等間隔で、また長手方向になるべく短い間隔で配置するのが好ましい。
【００３１】
蒸気発生装置６は、台車１５上に搭載した公知の移動型の小型ボイラ１６とするのが好ましいが、据付型のボイラとしてもよい。
【００３２】
次に、上記の植物育成装置の取り扱い要領、並びに本発明の植物育成方法の一実施態様について説明する。
図１および図２に示すように、栽培床１の細石１１を敷設した部分を中心として、前後方向に長い方形または帯状としたシート３を、栽培床１上に敷設する。
【００３３】
次いで、シート３上における左右の両側部３ａ、３ｂ、および前後部３ｃ、３ｄ(図１参照)を除いた中央部に、栽培用土壌２を盛土し、その上面を平らに均して、畝１７を形成する。
したがって、シート３の両側部３ａ、３ｂ、および前後部３ｃ、３ｄは、盛土されずに露呈している。
【００３４】
畝１７の上面中央に、蒸気配管５を前後方向に向けてほぼ水平に載置する。この蒸気配管５の一端は、キャップ１２により予め閉塞しておき、かつ他端は、蒸気発生装置６における蒸気出口１４に接続された可撓性の耐熱性ホース１３に接続しておく。
【００３５】
次いで、栽培用土壌２内に、蒸気配管５の左右両側に、適宜の間隔を保って、一端がキャップ１８により閉塞された給液チューブ１９を埋設する。なお、図１においては、給液チューブ１９に、水または液体肥料の供給設備に接続された可撓性のホース２０を接続した状態を示しているが、植物育成時期以外は、給液チューブ１９からホース２０を外しておく。
【００３６】
次に、図３に示すように、シート３の両側部３ａ、３ｂを持ち上げて、シート３に盛土された栽培用土壌２を、蒸気配管５の周りを包むように寄せ集め、かつシート３を、その両側部３ａ、３ｂが上下に重なるようにして、蒸気配管５を中心として筒状に丸める。シート３の前後部３ｃ、３ｄは、そのままにしておいてもよいが、丸めたシート３の前後両端の開口を塞ぐようにして、シート３の他の部分に粘着テープ等により止着してもよい。
【００３７】
この状態で、蒸気配管５に蒸気を導入すると、蒸気配管５の外周面に設けられた多数の蒸気噴出孔４から蒸気が噴出して、栽培用土壌２内に均一に浸透し、栽培用土壌２内の病原菌、害虫、雑草等を駆除することができる。しかもこの際、近隣の作物や人畜に悪影響を与えることはない。
【００３８】
所要時間蒸気を噴出させ、栽培用土壌２を蒸気消毒した後、図４に示すように、栽培床１上に、上部を円弧状とした門型の支柱８を、その下端部を栽培床１に差し込むことにより、栽培用土壌２に近接させて、かつ栽培用土壌２を跨ぐようにして、栽培用土壌２の長手方向に沿って複数立設する。
なお、支柱８は、シート３を蒸気配管５を中心に丸めた後、栽培用土壌２を蒸気により消毒する前に立設しておいてもよい。
【００３９】
支柱８の上端部中央の下面には、シート３の両側部３ａ、３ｂ同士を結合する結合手段として、面ファスナ２１の一方、例えば雄型片２２を、接着剤、針金、または糸等をもって取り付けておく。
【００４０】
次に、蒸気配管５から耐熱性ホース１３を外し、続いて、図５に示すように、支柱８の内側において、シート３の両側部３ａ、３ｂを左右方向に展開させつつ持ち上げ、シート３の両側部３ａ、３ｂの適所を、クリップ９をもって支柱８の内側に止着することによって、栽培用土壌２の上方に植物栽培用空間７を形成する。このとき、植物栽培用空間７ができるだけ大となるようにシート３を広げて、支柱８に止着するのが好ましい。
【００４１】
シート３の両側部３ａ、３ｂの外側面には、面ファスナ２１の雌型片２３を接着剤等により予め止着しておき、これを支柱８の雄型片２２に付着させることにより、両側端部３ａ、３ｂを植物栽培用空間７の上方において、着脱可能として結合する。
【００４２】
シート３の前後部３ｃ、３ｄを、最前部または最後部の支柱８の前後面に沿って持ち上げ、両側部３ａ、３ｂによって形成された栽培用空間７の前後の端部の開口を塞ぐようにして、各支柱８またはシート３の両側部３ａ、３ｂに、クリップ９や粘着テープ等をもって止着する。
このようにして、支柱８の内側に、植物栽培用空間７の両側方と上方とを覆う風防２４を形成する。
植物栽培用空間７の両側方だけでなく、上方をも覆う風防２４を形成することによって、雨水や雪等から植物を効果的に防護することができる。
【００４３】
風防２４内の植物栽培用空間７において植物を栽培するときには、シート３の両側部３ａ、３ｂの先端部に設けた面ファスナ２１の雌型片２３を、雄型片２２から外し、両側端部３ａ、３ｂを、クリップ９による支柱８への止着部から下向きに折り曲げることにより、風防２４の上部に開口(図示略)を形成する。この開口から、風防２４内の栽培用土壌２に播種または植栽することができる。
植物育成中には、給液チューブ１９にホース２０を接続して、給液チューブ１９の外周面に設けた多数の噴出孔１９ａ(図１参照)から水を噴出させることにより、植物に水を簡単に供給することができる。給液チューブ２０から、液体肥料を供給することもできる。
【００４４】
また、植物育成期間中は、風防２４の上部に、上記と同様にして開口を設け、植物の育成状況の観察、水や肥料等の供給、風防２４の内部のメンテナンスを簡単にすることができる。
【００４５】
図６および図７は、本発明の植物育成方法の第２の実施要領を示す。なお、第１の実施要領におけるのと同一の部材には、同一の符号を付して図示するに止め、それらについての詳細な説明は省略する。
【００４６】
第２の実施要領では、第１の実施要領と同様に、蒸気配管５の回りに栽培用土壌２およびシート３を巻き付け、栽培用土壌２を蒸気により消毒した後(図３参照)、図６に示すように、シート３の両側部３ａ、３ｂおよび前後部(図１における前後部３ｃ、３ｄ参照)を、栽培床１上に展開させる。
この状態で、シート３の栽培用土壌２の両側方において、門型の支柱８の下端部を、シート３を貫通させて、栽培床１上に突き刺すことにより、門型の支柱８を、栽培用土壌２に近設させ、かつ栽培用土壌２を左右から跨ぐようにして、栽培床１に立設する。
支柱８の上端部中央の上面には、面ファスナ２１における雄型片２２を取り付けておく。
【００４７】
次に、図７に示すように、栽培床１上に展開させたシート３の両側部３ａ、３ｂ、および前後部における支柱８より外側の部分を起立させ、クリップ９をもって、支柱８の外側に止着するとともに、両側部３ａ、３ｂの先端部内側面に固着した面ファスナ２１における雌型片２３を、支柱８の上端部中央の上面に取り付けた雄型片２２に止着することにより、植物栽培用空間７の両側方と上方とを覆う風防２４を形成する。
【００４８】
図７に示す状態から、面ファスナ２１における雌型片２３を雄型片２２から引き剥がし、シート３の両側部３ａ、３ｂを、クリップ９による支柱８への止着部から外下方に垂下させることにより、植物栽培用空間７の上方を開放することもできる。
このようにすることによって、晴天時に、風防２４内の風通しをよくすることができるとともに、植物の育成状況の観察や、雑草の除去などの作業を行うことができる。
【００４９】
以上の説明から明らかなように、本発明の植物育成方法の第１および第２の実施要領によると、栽培用土壌２の消毒時に、栽培用土壌２を包むのに使用したシート３の両側部を、土壌消毒後の植物の育成時における風防２４として有効に利用することができるとともに、風防２４を簡単に形成することができ、しかも、消毒済みの土壌を、他所に移動させることなく、その場で、即座に栽培用土壌２に播種または苗木の植栽等を行うことができ、土壌の消毒に引き続いて、植物の育成を効果的に行うことができる。
【００５０】
また、栽培用土壌２がシート３に包まれていることにより、栽培用土壌２に供給した肥料や水分の流出を防止することができるとともに、栽培用土壌への外部からの細菌や害虫の侵入を防止することができる。
さらに、１回の植物の育成の終了後に、再度、シート３を丸めて、栽培用土壌２の消毒を行うことができる。
しかも、蒸気配管５を利用して、給水や肥料の供給を行うこともできる。
【００５１】
本発明は、上記実施形態のみに限定されるものではなく、例えば、次のような変形した態様での実施が可能である。
(１)  支柱８を、単なる棒状のものとし、栽培用土壌２を挟むようにして、栽培床１上に立設する。
(２)  シート３の一方の側部３ａの先端部内側面に、面ファスナ２１における帯状の雄型片２２を、またシート３の他方の側部３ｂの先端部外側面に、帯状の雌型片２３をそれぞれ固着し、雄型片２２と雌型片２３とを接合させることにより、両側部３ａ、３ｂの先端部同士を互いに結合させる。
(３)  シート３の一部を、支柱８に着脱可能として止着する止着手段を、クリップ９に代えて、粘着テープ、または面ファスナとする。
【符号の説明】
【００５２】
１  栽培床
２  栽培用土壌
３  シート
３ａ  側部
３ｂ  側部
３ｃ  前部
３ｄ  後部
４  蒸気噴出孔
５  蒸気配管
６  蒸気発生装置
７  植物栽培用空間
８  支柱
９  クリップ(止着手段)
１０  凹溝
１１  細石
１２  キャップ
１３  耐熱性ホース
１４  蒸気出口
１５  台車
１６  ボイラ
１７  畝
１８  キャップ
１９  給液チューブ
１９ａ噴出孔
２０  ホース
２１  面ファスナ(結合手段)
２２  雄型片
２３  雌型片
２４  風防
【図１】
2013118862.tif 000003
【図２】
2013118862.tif 000004
【図３】
2013118862.tif 000005
【図４】
2013118862.tif 000006
【図５】
2013118862.tif 000007
【図６】
2013118862.tif 000008
【図７】
2013118862.tif 000009